(57)【要約】【課題】特別な放電ランプ点灯用配線を必要とせず、寿命末期ランプを新しいランプに交換する時に、一旦電源を遮断することなくランプを始動点灯できる蛍光灯点灯装置を提供する。【解決手段】本発明は、直流電源、直流電源から流れてくる電流で放電ランプを点灯させる点灯回路、直流電源からの電流の流れ方向を繰り返し変えて点灯回路に流す高周波変換回路、及び放電ランプの寿命末期を検出するランプ寿命末期検出回路からなる放電灯点灯装置において、寿命末期ランプを交換時にランプ装着状態を検知し、正常なランプが装着された時にのみ高周波変換回路が発振をしてランプを点灯しかつ、点灯後はランプ寿命末期ランプの検知待機状態になるように、蛍光ランプの電極の非電源側の共振コンデンサに並列に接続した抵抗を組み込んだ放電灯点灯装置。【選択図】図１
2012038693.tif 000002
【特許請求の範囲】
【請求項１】
直流電源、同直流電源から流れてくる電流で蛍光ランプを点灯させる点灯回路、前記直流電源からの電流の流れる方向を繰り返し変えて前記点灯回路に流す高周波変換回路、及び前記蛍光ランプの寿命末期を検出するランプ寿命末期検出回路からなる放電灯点灯装置において、前記ランプ寿命末期検出回路にランプ寿命末期を検知して、高周波変換回路の発振を停止する発振停止維持回路を組み込むとともに、前記発振停止維持回路は蛍光ランプが装着されていないか、もしくは蛍光ランプの電極が断線したランプが装着された時は発振停止保持動作をせず、正常なランプが装着された時には高周波変換回が発振動作をしてランプを点灯し、ランプ点灯後はランプ寿命末期検知の待機状態になり、寿命末期ランプを検知した時には高周波変換回路の発振停止保持動作をするように、蛍光ランプの非電源側に接続された共振コンデンサと並列接続された抵抗を設けたことを特徴とする放電灯点灯装置
【請求項２】
前記高周波変換回路の発振停止維持回路は、直流電源間に抵抗と発振停止用電流ラッチ素子（サイリスタ）とＮＰＮトランジスタ又はＮチャンネルＭＯＳＦＥＴでなる第１の検知スイッチ素子とを、この順に直列接続し、発振停止用電流ラッチ素子のアノード側には高周波変換回路の発振を停止させるようにした回路を接続し、前記第１の検知スイッチ素子の制御端子間には、その端子間に印加される電圧を平均化するコンデンサと抵抗の並列体を接続し、また直流電源の正極側と前記第１の検知スイッチ素子の制御端子との間には、抵抗とＰＮＰトランジスタ又はＰチャンネルＭＯＳＦＥＴでなる第２の検知スイッチ素子とダイオードとを、この順に直列接続し、前記第２の検知スイッチ素子の制御端子間にはその端子間に印加される電圧を平均化するコンデンサと抵抗の並列体を接続し、前記第２の検知スイッチ素子の制御端子と蛍光ランプの電極と点灯回路のランプ電流直流成分除去コンデンサとの接続点との間に、ダイオードと抵抗の直列体を接続することにより、蛍光ランプが装着されていないかもしくは蛍光ランプの電極が断線したランプが装着された時は第２の検知スイッチ素子がオンしないことにより第１のスイッチはオンしないで発振停止保持動作をせず、正常なランプが装着された時には高周波変換回が発振動作をしてランプを点灯し、ランプ点灯後は第２の検知スイッチ素子をオンすることによって第１の検知スイッチ素子がオンしてランプ寿命末期検知の待機状態になり、寿命末期ランプを検知した時には高周波変換回路の発振停止保持動作をするように、蛍光ランプの非電源側に接続された共振コンデンサと並列に接続された抵抗を設けたことを特徴とする請求項１記載の放電灯点灯装置。
【請求項３】
請求項１又は請求項２のいずれか記載の放電灯点灯装置において、高周波変換回路は、点灯回路の固有振動周波数の影響を受けない独立した発振周波数で発振する他励制御駆動ＩＣ回路で発振し、前記駆動制御ＩＣ回路の電源を、発振停止保持スイッチ素子の動作を利用して制御駆動ＩＣの電源を低下させて発振を停止する請求項２記載の放電灯点灯装置。
【請求項４】
請求項２記載の放電灯点灯装置において、高周波変換回路は、点灯回路の固有振動周波数の影響を受けない独立した発振周波数で発振する他励制御駆動ＩＣ回路で発振し、制御駆動ＩＣ回路は発振停止制御端子を有し、発振停止保持スイッチ素子の動作を利用して発振制御端子の電圧を低下させて発振を停止する請求項２の放電灯点灯装置。
【請求項５】
請求項２乃至４のいずれか記載の放電灯点灯装置において、発振停止ラッチ素子（サイリスタ）と第１の検知素子に印加される電圧を低下するように、発振停止用電流ラッチ素子（サイリスタ）のアノードと直流電源の負極側に分圧抵抗を設けたことを特徴とする請求項２、又は４記載の放電灯点灯装置。
【請求項６】
請求項２、３又は４記載の放電灯点灯装置において第２の検知スイッチ素子に印加される電圧を低下するように第２の検知スイッチ素子のエミッタ又はソースと直流電源の負極側との間に分圧抵抗を設けたことを特徴とする放電灯点灯装置。
【請求項７】
蛍光ランプを複数点灯する放電灯点灯装置において一つの整流回路、平滑回路に対して各ランプ毎に高周波変換回路、ランプ寿命末期検出回路、点灯回路をそれぞれ独立に設け、請求項１、２、３、４、５又は６記載の放電灯点灯装置。
【発明の詳細な説明】
【技術分野】
【０００１】  本発明は、放電灯点灯装置に係わり、特に、蛍光ランプの寿命末期等の異状状態を検出する機能を備えた蛍光灯点灯装置の改良に関する。
【背景技術】
【０００２】  蛍光ランプが寿命末期等の異常状態になると蛍光ランプが半波放電し、蛍光ランプの整流効果により蛍光ランプ管端部が異常に発熱する。従来の放電灯点灯装置（銅鉄式安定器）では蛍光ランプが寿命末期になると、点滅して正常に点灯しなくなり、目視により蛍光ランプ寿命末期等の判断ができ人為的に消灯したり、新しい蛍光ランプに交換するなどの対応ができたが、数ｋＨｚ以上で高周波点灯するインバータ式の放電灯点灯装置（電子安定器）の場合、蛍光ランプが寿命末期になっても点滅したりせず、蛍光ランプのフィラメントが切れるまで点灯を続けるため、蛍光ランプ管端の管壁は２００℃以上の高温になる。そのため、蛍光ランプのソケットを溶かして器具を破損させたり、場合によっては焼損したりすることもある。また切れてからすぐに蛍光ランプ交換しようとすると火傷を負うようなこともあった。【０００３】  そこで考えられたのが特開２００１−２９１５９９号に記載された放電灯点灯装置であり、この装置を図５に基づいて説明する。図５において整流回路（１）、平滑回路（２）、高周波変換回路（３）、ランプ寿命末期検出回路（４）、点灯回路（５）を備えている。【０００４】  整流回路１は、全波整流回路（ＤＢ）を備えている。全波整流器（ＤＢ）の入力端子は交流電源に、出力端子（＋、−端子）は平滑回路（２）側に、それぞれ接続されている。全波整流器（ＤＢ）は、交流入力電流を直流（脈流）に変換する。平滑回路（２）は、例えば電解コンデンサ（Ｃ１）を備え、電解コンデンサ（Ｃ１）の各端子は、整流回路（１）の出力端子（＋、−端子）にそれぞれ接続されている。平滑回路（２）は全波整流器（ＤＢ）から出力される脈流波形を平滑する。【０００５】    高周波変換回路（３）は、２個のＦＥＴ（Ｑ１）とＦＥＴ（Ｑ２）が発振用電流検出トランス（ＣＴ）の働きにより交互にオンとオフを繰り返すことにより、点灯回路（５）に流れる電流の方向が繰り返し切り替わるようにするものである。発振用電流検出トランス（ＣＴ）は、高周波電流が流れる一次巻線（ｎ１）と、この高周波電流をＦＥＴ（Ｑ１）、ＦＥＴ（Ｑ２）のゲート電極にフィードバックさせる二次巻線（ｎ２）と三次巻線（ｎ３）とを備えている。【０００６】  平滑回路（２）から出力された直流電流は、コンデンサ（Ｃ２）に蓄積される。コンデンサ（Ｃ２）の電圧が、トリガーダイオード（ＴＤ１）が動作電圧（例えば３０Ｖ）に達すると、トリガーダイオード（ＴＤ１）が動作しＦＥＴ（Ｑ２）のゲート電極に電圧が印加され、これがＦＥＴ（Ｑ２）への初期動作信号となる。ＦＥＴ（Ｑ２）がオンになると、電流（Ｉ）が矢印と反対に流れるようになる。このとき発振用電流検出トランス（ＣＴ）の二次巻線（ｎ３）に誘導された電圧はＦＥＴ（Ｑ１）のオフ状態を維持させる。発振電流検出トランスＣＴが磁気飽和されると、発振電流検出トランスＣＴの二次巻線（ｎ２）の電圧の誘導方向が反転し、ＦＥＴ（Ｑ１）をオンさせる。すなわち、電流（Ｉ）が矢印の方向に流れるようになる。その後の動作は、上記初期動作信号がなくても自励的に反復するようになる。すなわち、再度発振電流検出トランス（ＣＴ）が飽和されると、発振電流検出トランス（ＣＴ）の二次巻線（ｎ２）の電圧の誘導方向が再度反転し、ＦＥＴ（Ｑ１）をオフさせ、ＦＥＴ（Ｑ２）をオンさせる。【０００７】  なお、この高周波変換回路（３）から出力される電圧の周波数は、数ｋＨｚ以上で望ましくは人間の可聴周波数以上の周波数の下限付近の１８ｋＨｚ以上である。【０００８】  点灯回路（５）は、バラストチョークコイル（Ｌ１）、ランプ電流直流電流成分除去コンデンサ（Ｃ５）、ランプ始動用共振コンデンサ（Ｃ６）を備え、蛍光ランプ（６）を点灯する。バラスト用チョークコイル（Ｌ１）は、蛍光ランプ（６）に対して直列に接続される一次巻線（ｎ１）と、この一次巻線（ｎ１）と磁気的に結合された二次巻線（ｎ２）とを備えている。点灯回路（５）は、高周波変換回路（３）により連続的に方向が切り替えられた電流を、バラストチョークコイル（Ｌ１）、ランプ電流直流電流成分除去コンデンサ（Ｃ５）および蛍光ランプ（６）、始動用共振コンデンサ（Ｃ６）によって共振させ蛍光ランプ（６）を点灯させる。【０００９】  ランプ寿命末期検出回路（４）は、蛍光幻ランプ（６）が点灯すると、パラストチョークコイル（Ｌ１）の一次巻線（ｎ１）に電流が流れ、二次巻線（ｎ２）に電圧（交流）が発生する。この二次巻線（ｎ２）から発生する交流の電流は、高速ダイオード（Ｄ３）によって半波整流され、抵抗（Ｒ８）、（Ｒ９）で分圧された電荷が電解コンデンサ（Ｃ４）に充電される。【００１０】  蛍光ランプ（６）が寿命末期になると、ランプ電流が増大してバラストチョークコイル（Ｌ１）の一次側の電流が大きくなる。その結果、二次側に発生する電圧が高くなり、電解コンデンサ（Ｃ４）に充電される電荷が増加し電圧が上昇する。この電圧がトリガーダイオード（ＴＤ２）の動作電圧に達すると、トリガーダイオード（ＴＤ２）が動作してサイリスタ（ＳＣ）の動作信号となる。サイリスタ（ＳＣ）がオンになると、発振用電流検出トランス（ＣＴ）の二次巻線（ｎ２）の電流が高速ダイオード（Ｄ２）を介してバイパスしてＦＥＴ（Ｑ２）の発振を停止させて、寿命末期の蛍光ランプ（６）を消灯させる。消灯後、抵抗（Ｒ５）を通してサイリスタ（ＳＣ）に保持電流を流して、サイリスタ（ＳＣ）のオン状態を保持して、蛍光ランプ（６）の再点灯を防止している。【００１１】  この回路では、蛍光ランプ（６）の寿命末期でハーフブリッジなど高周波変換回路の発振を停止して蛍光ランプ（６）を消灯した場合、電源を供給したままで、寿命末期の蛍光ランプ（６）を交換するため、蛍光ランプ（６）をはずしても、サイリスタ（ＳＣ）がオンを継続して高周波変換回路（３）は発振が停止したままで、正常な蛍光ランプ（６）に取り替えても、蛍光ランプ（６）は点灯しない。点灯させるためには、整流回路（１）、平滑電源回路（２）への電源供給を一旦停止して、サイリスタ（ＳＣ）の電流を遮断してオフにする必要がある。このように電源を一旦切ってからの蛍光ランプ（６）の交換は感電などの安全面が向上することが期待できる反面、蛍光ランプ（６）の交換作業が煩雑になる欠点があった。【００１２】  図５のような回路での欠点を改良するために、図６のような回路が考えられている。この回路は、発振停止用のサイリスタ（ＳＣ）の電流を蛍光ランプ（６）の二つのフィラメント電極（ｆｉ１）、（ｆｉ２）の一方のフィラメン電極（ｆｉ２）を介して流している点のみが図５と異なっている。蛍光ランプ（６）が寿命末期になると図５図示の装置の動作と同じくサイリスタ（ＳＣ）がオンして発振用電流検出トランス（ＣＴ）の二次巻線（ｎ２）の電流が高速ダイオード（Ｄ２）と蛍光ランプ（６）のフィラメント電極（ｆｉ２）を介してバイパスして流れ、ＦＥＴ（Ｑ２）の発振を停止させて寿命末期の蛍光ランプ（６）を消灯させる。消灯後、抵抗（Ｒ５）を通してサイリスタ（ＳＣ）に保持電流を流して、サイリスタ（ＳＣ）のオン状態を保持して、蛍光ランプ（６）の再点灯を防止している。この回路では寿命末期の蛍光ランプ（６）を正常な蛍光ランプ（６）を交換する時に必ず蛍光ランプ（６）の電極フィラメント（ｆｉ２）端が開放されてサイリスタ（ＳＣ）の電流が０になりオフ状態になって高周波点灯回路（３）は発振を開始して、電源を一旦遮断することなく蛍光ランプ（６）を点灯することが出来る。
【先行技術文献】
【特許文献】
【００１３】
【特許文献１】  特開２００１−２９１５９９号
【発明の概要】
【発明が解決しようとする課題】
【００１４】  以上述べた図６に図示された装置では、蛍光ランプ（６）の非電源側から安定器への配線が電力供給のための配線２本の他に１本多い合計３本の配線が必要である。この１本多い配線は安定器と蛍光ランプ（６）が近接して使用する場合は大きな問題にはならないが、ショーケースなどのように安定器とランプの配線を１ｍ以上はなして使用する用途では実際上配線は難しく、仮に配線できたとしても蛍光ランプ（６）を高周波点灯する電子安定器では不要なノイズを拾うことが多く、ランプ寿命末期検出部が誤動作して確実な所望の動作が得られない欠点があった。
【発明が解決しようとする課題】
【００１５】  本発明は、蛍光ランプ等の放電ランプの寿命末期等の異常状態を検知してランプ点灯用高周波変換回路の動作を停止して放電ランプを消灯する回路において、放電ランプを交換したとき発振停止回路の動作を解除する方法のうち、安定器とランプ間にランプの有無を検知するための特別な専用配線を設けること無く放電ランプ点灯用配線２本のみで放電ランプの有無を検知して発振停止回路の動作を解除して、一旦電源供給を遮断する操作を必要とすることなく寿命末期の放電ランプの交換とその確認作業を容易にすることができるようにした放電灯点灯装置を提供することを目的になされたものである。
【課題を解決するための手段】
【００１６】  本発明は、上記課題を解決するために、（１）直流電源、同直流電源から流れてくる電流で蛍光ランプを点灯させる点灯回路、前記直流電源からの電流の流れる方向を繰り返し変えて前記点灯回路に流す高周波変換回路、及び前記蛍光ランプの寿命末期を検出するランプ寿命末期検出回路からなる放電灯点灯装置において、前記ランプ寿命末期検出回路にランプ寿命末期を検知して、高周波変換回路の発振を停止する発振停止維持回路を組み込むとともに、前記発振停止維持回路は蛍光ランプが装着されていないか、もしくは蛍光ランプの電極が断線したランプが装着された時は発振停止保持動作をせず、正常なランプが装着された時には高周波変換回が発振動作をしてランプを点灯し、ランプ点灯後はランプ寿命末期検知の待機状態になり、寿命末期ランプを検知した時には高周波変換回路の発振停止保持動作をするように、蛍光ランプの非電源側に接続された共振コンデンサと並列接続された抵抗を設けたことを特徴とする放電灯点灯装置を提供する。【００１７】  さらに本発明は、（２）上記の高周波変換回路の発振停止維持回路は、直流電源との間に抵抗と発振停止用電流ラッチ素子（サイリスタ）とＮＰＮトランジスタ又はＮチャンネルＭＯＳＦＥＴでなる第１の検知スイッチ素子とを、この順に直列接続し、発振停止用電流ラッチ素子（サイリスタ）のアノード側には高周波変換回路の発振を停止させるように設けた回路（ダイオード）を接続し、前記第１の検知スイッチ素子の制御端子間には、その端子間に印加される電圧を平均化するコンデンサと抵抗の並列体を接続し、また直流電源の正極側と前記第１の検知スイッチ素子の制御端子との間には、抵抗とＰＮＰトランジスタ又はＰチャンネルＭＯＳＦＥＴでなる第２の検知スイッチ素子と、ダイオードとを、この順に直列接続し、前記第２の検知スイッチ素子の制御端子間にはその端子間に印加される電圧を平均化するコンデンサと抵抗の並列体を接続し、前記第２の検知スイッチ素子の制御端子と蛍光ランプの電極と点灯回路のランプ電流直流成分除去コンデンサとの接続点との間に、ダイオードと抵抗の直列体を接続することにより、蛍光ランプが装着されていないかもしくは蛍光ランプの電極が断線したランプが装着された時は第２のスイッチ素子がオンしないことにより第１のスイッチ素子はオンしないで発振停止保持動作をせず、正常なランプが装着された時には高周波変換回が発振動作をしてランプを点灯し、ランプ点灯後は第２の検知スイッチ素子をオンすることによって第１の検知スイッチ素子がオンしてランプ寿命末期検知の待機状態になり、寿命末期ランプを検知した時には高周波変換回路の発振停止保持動作をするように、蛍光ランプの非電源側に接続された共振コンデンサと並列に接続された抵抗を設けたことを特徴とする上記（１）記載の放電灯点灯装置を提供する。【００１８】    また本発明は、（３）上記（２）記載の放電灯点灯装置において、高周波変換回路は、点灯回路の固有振動周波数の影響を受けない独立した発振周波数で発振する他励制御駆動ＩＣ回路で発振し、前記駆動制御ＩＣ回路の電源を、抵抗とダイオードの直列体を介して高周波変換回路の発振停止保持スイッチ素子の電流流入端子に接続し���制御駆動ＩＣの電源を低下させて発振を停止する放灯点灯装置を提供する。【００１９】  さらにまた本発明は、（４）上記（２）記載の放電灯点灯装置において、高周波変換回路は、点灯回路の固有振動周波数の影響を受けない独立した発振周波数で発振する他励制御駆動ＩＣ回路で発振し、制御駆動ＩＣ回路は発振停止制御端子を有し、発振制御端を、抵抗とダイオードを介して発振停止保持スイッチ素子の電流流入端子に接続して発振制御端子の電圧を低下させて発振を停止する放灯点灯装置を提供する。【００２０】  また、（５）上記（２）の高周波変換回路の発振停止維持回路は、発振停止用電流ラッチ素子（サイリスタ）のアノード側と直流電源の負極との間に抵抗を設けて分圧して、耐圧の低い発振停止用電流ラッチ素子及び第１の検知スイッチ素子を使用できるようにしたことを特徴とする上記（２）記載の放電灯点灯装置を提供する。【００２１】    さらにまた（６）上記（２）の高周波変換回路の発振停止維持回路は、第２の検知スイッチ素子のエミッタ又はソースと直流電源の負極間に抵抗を設けて分圧して、低い耐圧の第２の検知スイッチ素子を使用できるようにしたことを特徴とする上記（２）記載の放電灯点灯装置を提供する。【００２２】    また（７）複数の蛍光ランプに適用するにあたって、一つの整流回路、平滑回路に対してランプ毎に高周波変換回路、ランプ寿命末期検出回路、点灯回路をそれぞれ独立に設けて上記、（２）、（３）、（４）、（５）、（６）記載の放電灯点灯装置を提供する。
【発明の効果】
【００２３】  本発明の放電灯点灯装置によれば、放電ランプが寿命末期になって新しい放電ランプに交換する場合、ランプの有無を検知するための特別な専用配線を設けること無く放電ランプ点灯用配線２本のみで放電ランプの有無を検知して発振停止回路の動作を解除する目的で、一旦電源供給を遮断する操作を必要とすることなく寿命末期の放電ランプの交換とその確認作業を容易にすることができる。
【図面の簡単な説明】
【００２４】
【図１】  本発明の第１の実施形態による放電灯点灯装置の回路図である。
【図２】  本発明の第２の実施形態による放電灯点灯装置の回路図である。
【図３】  本発明の第３の実施形態による放電灯点灯装置の回路図である。
【図４】  第２、第３の実施形態の放電灯点灯装置の駆動用制御ＩＣの出力電圧波形例である。
【図５】  従来の放電灯点灯装置の回路構成である。
【図６】  図５に示す放電灯点灯装置を改良した放電灯点灯装置の回路構成である。
【発明を実施するための形態】
【００２５】  本発明の第１の実施の形態の例を図１に基づいて説明する。整流回路（１）、平滑回路（２）、高周波変換回路（３）は、図５、６に示す従来装置の回路と同じである。回路の詳細な動作は従来装置と異なる部分のみ説明する。本形態例の装置は、ランプ寿命末期検出回路（４）、点灯回路（５）が異なる。点灯回路（５）はランプ始動用共振コンデンサ（Ｃ６）と並列に３３０ＫΩ程度のランプ検知抵抗（Ｒ１７）を接続する。この抵抗（Ｒ１７）は非キャパシタンス性のインピーダンス素子であればよく、例えばインダクタンス素子でも良い。ここでは抵抗を使用した例で説明する。ランプ寿命末期検出回路（４）は直流電源との間に、抵抗（Ｒ５）と発振停止用電流ラッチ素子であるサイリスタ（ＳＣ）とＮチャンネルＭＯＳＦＥＴでなる第１の検知スイッチ素子（Ｑ１１）とを、この順に直列接続する。第１の検知スイッチ素子（Ｑ１１）の制御端子間には御端子間に印加される電圧を平均化するコンデンサ（Ｃ１１）と抵抗（Ｒ１２）の並列体を接続する。発振停止用電流ラッチ素子（ＳＣ）のアノード側には高周波変換回路の発振を停止させるように設けた高速ダイオード（Ｄ２）のカソードを接続する。直流電源の正極側と前記第１の検知スイッチ素子（Ｑ１１）の制御端子との間には、抵抗（Ｒ１１）とＰＮＰトランジスタでなる第２の検知スイッチ素子（Ｑ１２）と高速ダイオード（Ｄ１１）とを、この順に直列接続する。前記第２の検知スイッチ素子（Ｑ１２）の制御端子間にはその端子間に印加される電圧を平均化するコンデンサ（Ｃ１２）と抵抗（Ｒ１５）の並列体を接続し、前記第２の検知スイッチ素子（Ｑ１２）の制御端子と蛍光ランプの電極（ｆｉ１）と点灯回路のランプ電流直流成分除去コンデンサ（Ｃ５）との接続点との間に、高速ダイオード（Ｄ１２）と抵抗（Ｒ１６）の直列体を接続する。発振停止用電流ラッチ素子（ＳＣ）と第１の検知スイッチ素子（Ｑ１１）に印加される電圧を下げる場合には、必要に応じて分圧抵抗（Ｒ１３）を発振停止用電流ラッチ素子（ＳＣ）のアノードと直流電源の負極との間に接続する。また第２の検知スイッチ素子（Ｑ１２）に印加される電圧を下げる場合には、必要に応じて第２の検知素子のエミッタと直流電源の負極側との間に抵抗（Ｒ１４）を接続する。また前記、第１の検知スイッチ素子（Ｑ１１）はＮＰＮトランジスタ、第２検知スイッチ素子（Ｑ１２）はＰチャンネルＭＯＳＦＥＴで、それぞれ構成することが出来る。
【００２６】  本形態例の装置で構成するランプ有無検知回路の動作は次の通りである。電源が投入されると整流回路（１）、平滑回路（２）で整流平滑された直流電圧は抵抗（Ｒ１１）、コンデンサ（Ｃ１２）と抵抗（Ｒ１５）並列体とダイオード（Ｄ１２）、抵抗（Ｒ１６）、蛍光ランプ（６）のフィラメント電極（ｆｉ１）、抵抗（Ｒ１７）、蛍光ランプ（６）のフィラメント電極（ｆｉ２）を介して直流電流が流れる。この電流によってコンデンサ（Ｃ１２）と抵抗（Ｒ１５）並列体に平均化された正のバイアス電圧が発生してＰＮＰトランジスタで構成する第２の検知スイッチ素子（Ｑ１２）がオンして、オン状態が継続する。第２の検知スイッチ素子（Ｑ１２）がオンすることにより、抵抗（Ｒ１１）、第２の検知スイッチ素子（Ｑ１２）、高速ダイオード（Ｄ１１）、コンデンサ（Ｃ１１）と抵抗（Ｒ１２）の並列体に電流が流れて、コンデンサ（Ｃ１１）と抵抗（Ｒ１２）の並列体には平均化された正のバイアス電圧が発生して、第１の検知スイッチ素子（Ｑ１１）のゲート・ソース間の閾値電圧を超えるとオンの状態を継続する。この状態で蛍光ランプ（６）が寿命末期になると、バラストチョークコイル（Ｌ１）の一次側の電流が大きくなる。その結果、二次側に発生する電圧が高くなり、電解コンデンサ（Ｃ４）に充電される電荷が増加し電圧が上昇する。この電圧がトリガーダイオード（ＴＤ２）の動作電圧に達すると、トリガーダイオード（ＴＤ２）が動作して、オン状態を継続していた第１の検知スイッチ素子（Ｑ１１）を介してサイリスタ（ＳＣ）のゲートに電流が流れサイリスタ（ＳＣ）はオンする。サイリスタ（ＳＣ）がオンになると、発振用電流検出トランス（ＣＴ）の二次巻線（ｎ２）の電流が高速ダイオード（Ｄ２）を介してバイパスして、ＦＥＴ（Ｑ２）の発振を停止させて、寿命末期の蛍光ランプ（６）を消灯させる。消灯後、抵抗（Ｒ５）、第１の検知スイッチ素子（Ｑ１１）を介してサイリスタ（ＳＣ）に保持電流を流して、サイリスタ（ＳＣ）のオン状態を保持して、蛍光ランプ（６）の再点灯を防止する。なお、高速ダイオード（Ｄ１１）、（Ｄ１２）を図示の極性に接続したのはランプの有無を確実に検知するとともにランプ点灯時、始動時にランプ電圧が第１の検知スイッチ（Ｑ１１）のゲート・ソース間又は第２の検知スイッチ（Ｑ１２）のコレクタ・ベース間に印加されて正常に動作しなくなることを防止するために蛍光ランプの両端側から見て交流的に相互オフ状態を保つようにしている。また数十キロΩの高抵抗（Ｒ１６）は第２の検知スイッチ素子（Ｑ１２）のエミッタ・ベースバイアス電圧を適正値に調整するとともに、ランプ点灯時又は始動時に高速ダイオード（Ｄ１１）、（Ｄ１２）のスイッチングに起因する不要なスイッチング電流が流れるのを制限するものである。
【００２７】  この状態で新しい蛍光ランプ（６）を交換するために、寿命末期の蛍光ランプ（６）を外すとフィラメント電極（ｆｉ１）、（ｆｉ２）が外れた状態になって第２の検知スイッチ素子（Ｑ１２）のエミッタ・ベース間に接続されたコンデンサ（Ｃ１２）と抵抗（Ｒ１５）の並列体には電圧が発生せず第２の検知スイッチ素子（Ｑ１２）はオフ状態を継続する。その結果、第１の検知スイッチ素子（Ｑ１１）もオフ状態を継続する。サイリスタ（ＳＣ）に電流が流れなくなる結果、サイリスタ（ＳＣ）はオフ状態を保持する。新しい蛍光ランプ（６）を装着すると第２の検知スイッチ素子（Ｑ１２）オンすることにより、第１の検知スイッチ素子（Ｑ１１）はオン状態を保持し、サイリスタ（ＳＣ）はオフ状態を保持して、蛍光ランプ（６）の寿命末期検知状態に対応できる待機状態になる。一方蛍光ランプ（６）が装着された後には、コンデンサ（Ｃ２）の電圧がトリガーダイオード（ＴＤ１）の動作電圧になりこの電圧がＦＥＴ（Ｑ２）のゲート電極に電圧が印加され、これがＦＥＴ（Ｑ２）への初期動作信号となり、高周波変換回路は発振状態を継続して蛍光ランプ（６）を始動点灯する。以降、蛍光ランプ（６）は通常点灯状態を継続する。なお抵抗（Ｒ１３と、抵抗（Ｒ１４）は、ラッチ素子（ＳＣ）と第１の検知スイッチ素子（Ｑ１１）に印加される電圧を、第２の検知スイッチ素子（Ｑ１２）に印加される電圧を、それぞれ低下する目的の分圧抵抗であり、その必要が無い場合は不要である。
【００２８】  このように、本案によれば蛍光ランプ（６）が寿命末期になって新しい蛍光ランプ（６）に交換する場合、寿命末期状態の蛍光ランプ（６）の消灯状態を維持するためのラッチ回路動作を解除するために、特別な専用配線を設けること無く放電ランプ点灯用配線２本のみで、一旦電源を切る必要が無く蛍光ランプ（６）交換を可能とする。
【００２９】  次に、第２の実施の形態の例を説明する。高周波変換回路の駆動回路として発振用電流検出トランス（ＣＴ）を使用した自励式高周波変換回路の場合に限定されず、制御用ＩＣ（ＩＣ）などを使用した他励式高周波変換回路を使用した場合にも適用できる。図２がその例であり詳細を説明する。
【００３０】    図２において、図中の制御用ＩＣ（ＩＣ）はハーフブリッジ駆動制御ＩＣとして広く使用されている、例えばＳＴマイクロ社の形名Ｌ６５６９、またはＩＲ社の形名ＩＲＳ２１５３Ｄを利用した他励式の高周波変換回路を使用した場合の例である。この例では他励式の高周波変換回路（３）を除き、整流回路（１）、平滑回路（２）、ランプ寿命末期検出回路（４）、点灯回路（５）は図１と同じである。他励式の高周波変換回路（３）の動作は次のようである。
【００３１】  抵抗（Ｒ１）により電解コンデンサ（Ｃ２１）が充電され制御用ＩＣ（ＩＣ）の電源端子（１ＶＳ）に流れる電流が所定値（数十μＡ）を越えると制御用ＩＣ（ＩＣ）内部の発振回路が抵抗（Ｒ２１）、コンデンサ（Ｃ２２）によって決められる２０ｋＨ以上の周波数で発振する。この内部発振回路の発振周波数で出力端子５ＬＶＧ、出力端子７ＨＶＧに約１μＳ程度のデッドタイムを持った矩形波状の電圧が交互に出力される。図４にこの制御用ＩＣ（ＩＣ）の出力端子５ＬＶＧ及び出力端子７ＨＶＧの出力電圧波形例を示す。その結果パワーＭＯＳＦＥＴであるＦＥＴ（Ｑ１）、（Ｑ２）はオン、オフを繰り返し高周波変換回路（３）は動作を開始する。制御用ＩＣ（ＩＣ）の電源端子（１ＶＳ）にはダイオード（Ｄ１）とツェナーダイオード（ＺＤ１）、コンデンサ（Ｃ２３）、抵抗（Ｒ２２）が接続されている。この回路は制御用ＩＣ（ＩＣ）が発振を継続し出力端５ＬＶＧ、出力端子７ＨＶＧに継続してＦＥＴ（Ｑ１）、（Ｑ２）に矩形波状のドライブ電圧を発生するために端子の電圧を約１５Ｖ電圧に継続して発生させるものであり、その動作は次のようである。なおコンデンサ（Ｃ２４）はＦＥＴ（Ｑ２）の駆動電圧を形成するための電圧源を構成する。
【００３２】    この制御用ＩＣ（ＩＣ）は発振開始時に最初ＦＥＴ（Ｑ２）がオンするように設計されており、このときコンデンサ（Ｃ２３）に蓄積された初期電荷はＦＥＴ（Ｑ２）、ツェナーダイオード（ＺＤ１）抵抗（Ｒ２２）によって放電され蓄積電荷は０になる。次にＦＥＴ（Ｑ２）がオフしＦＥＴ（Ｑ１）がオンすると平滑回路（２）からＦＥＴ（Ｑ１）、コンデンサ（Ｃ２３）、抵抗（Ｒ２２）、ダイオード（Ｄ１）、電解コンデンサ（Ｃ２１）と閉回路が構成され電解コンデンサ（Ｃ２１）に図の極性に電荷が充電される。次に、ＦＥＴ（Ｑ１）がオフしＦＥＴ（Ｑ２）がオンすると前のサイクルでコンデンサ（Ｃ２３）に蓄積された電荷はＦＥＴ（Ｑ２）、ツェナーダイオード（ＺＤ１）、抵抗（Ｒ２２）によって放電され蓄積電荷は０になる。この動作を繰返す結果、電解コンデンサ（Ｃ２１）には図の極性でほぼツェナーダイオード（ＺＤ１）のツェナー電圧でクリップされた電圧約１５Ｖ〜１６Ｖの電圧が継続して充電され制御用ＩＣ（ＩＣ）の電源端子１ＶＳに印加される。その結果、高周波変換回路（３）は所定の動作をして蛍光ランプ（６）は正常に点灯を継続する。
【００３３】  蛍光ランプ（６）が寿命末期になると図１の場合と同様に第２の検知スイッチ素子（Ｑ１２）がオンする結果、第１の検知スイッチ素子（Ｑ１１）がオン状態を継続しサイリスタ（ＳＣ）がオンを継続して電解コンデンサ（Ｃ２１）の電荷は低抵抗値の抵抗（Ｒ２３）を介して放電され制御用ＩＣ（ＩＣ）の電源端子は短絡されて電圧が低下して発振を停止して蛍光ランプ（６）は消灯状態を維持する。
【００３４】  寿命末期の蛍光ランプ（６）を交換するためにランプを外すと第２の検知スイッチ素子（Ｑ１２）、第１の検知スイッチ素子（Ｑ１１）がオフ状態を継続してサイリスタ（ＳＣ）はオフ状態になって蛍光ランプ（６）が装着されるのを待機する。新しい蛍光ランプ（６）が装着されると電源を一旦遮断する必要が無く周波変換回路は発振を開始しランプは正常に点灯する。また第２の検知スイッチ（Ｑ１２）、第１の検知スイッチ（Ｑ１１）はオン状態を継続にしてランプ寿命末期検知待機状態になり正常な動作を行う。
【００３５】    図３は他励式の高周波変換回路（３）を使用した他の例である。図２の場合と異なる点は制御用ＩＣ（ＩＣ）の端子３ＣＦの電圧を、端子１ＶＳ端子電圧の約１／６以下にすることによって発振停止できる機能を利用したものである。制御用ＩＣの端子３ＣＦを抵抗（Ｒ２３）と高速ダイオード（Ｄ２）を介してサイリスタ（ＳＣ）のアノードに端子に接続する。このことによって図２の場合と同じ機能を得ることができる。そのほかの動作は図１、図２の場合と同じなので説明を省略する。
【００３６】  以上の例では蛍光ランプ（６）が１つの場合について述べたが、平滑回路（２）に対して高周波変換回路（３）、寿命末期検出回路（４）、点灯回路（５）を複数並列に接続することにより、蛍光ランプ（６）が複数の場合にもそれぞれの蛍光ランプ（６）を点灯させ、各蛍光ランプ（６）の寿命末期を検出し寿命末期の蛍光ランプ（６）だけを消灯させる。寿命末期の蛍光ランプ（６）を交換する時には電源を一旦遮断することなく、その蛍光ランプ（６）のみを外して交換するだけで蛍光ランプ（６）を始動点灯することが出来る。
【符号の説明】
【００３７】（１）  整流回路
（２）  平滑回路
（３）  高周波変換回路
（４）  ランプ寿命末期検出回路
（５）  点灯回路
（６）  蛍光ランプ
（Ｃ１）、（Ｃ４）、（Ｃ１１）、（Ｃ２１）  電解コンデンサ
（Ｃ２）、（Ｃ３）、（Ｃ１２），（Ｃ２２），（Ｃ２３），（Ｃ２４）  コンデンサ
（Ｃ５）  ランプ電流の直流電流成分除去コンデンサ
（Ｃ６）  ランプ始動用共振コンデンサ
（ＣＴ）  発振用電流検出トランス
（Ｄ１）  ダイオード
（Ｄ２）、（Ｄ３）、（Ｄ１１）、（Ｄ１２）  高速ダイオード
（ＤＢ）  全波整流回路
（ｆｉ１）、（ｆｉ２）  蛍光ランプのフィラメント電極
（ＣＴ）  発振用電流検知トランス
（ｎ１）  一次巻線
（ｎ２）  二次巻線
（ｎ３）  三次巻線
（ＩＣ）  他励発振制御用ＩＣ
（Ｑ１）、（Ｑ２）  高周波変換回路用ＭＯＳＦＥＴ
（Ｑ１１）  ＮチャンネルＭＯＳＦＥＴ（第１の検知スイッチ素子）
（Ｑ１２）  ＰＮＰトランジスタ（第２の検知スイッチ素子）
（ＴＤ１）、（ＴＤ２）  トリガーダイオード
（ＳＣ）  サイリスタ
（ＺＤ１）  ツェナーダイオード
（Ｌ１）  バラストチョークコイル
（Ｒ１７）  ランプ検知抵抗
（Ｒ１）、（Ｒ２）、（Ｒ３）、（Ｒ４）、（Ｒ５）、（Ｒ６）、（Ｒ７）、（Ｒ８）、（Ｒ９）（Ｒ１１）、（Ｒ１２）、（Ｒ１５）、（Ｒ１６），（Ｒ２１），（Ｒ２２），（Ｒ２３）  抵抗
（Ｒ１３）、（Ｒ１４）  分圧抵抗
【図１】
2012038693.tif 000003
【図２】
2012038693.tif 000004
【図３】
2012038693.tif 000005
【図４】
2012038693.tif 000006
【図５】
2012038693.tif 000007
【図６】
2012038693.tif 000008